(57)【特許請求の範囲】
【請求項１】
上下方向に延びる回動軸周りに回動可能に扉を取付対象に連結するヒンジ装置であって、
第１扉と前記取付対象の取付面を連結する第１ヒンジ部と、
前記第１扉の下側に配置される第２扉と前記取付面を連結する第２ヒンジ部と、
を備え、
前記第１ヒンジ部は、
上下方向に延びる第１回動軸部と、
前後左右に広がって前記第１回動軸部の下部側を支持する第１支持部と、
前記第１支持部の後端部から下方に延びて前記取付面に固定される第１取付部と、
を有し、
前記第２ヒンジ部は、
上下方向に延びる第２回動軸部と、
前後左右に広がって前記第２回動軸部の上部側を支持する第２支持部と、
前記第２支持部の後端部から上方に延びて前記取付面に固定される第２取付部と、
を有し、
前記第１支持部が前記第２支持部の上側に配置されて、前記第１取付部が前記第２支持部より下方に配置され、前記第２取付部が前記第１支持部より上方に配置されている、ヒンジ装置。
【請求項２】
前方からの平面視において、前記第１回動軸部の下方には、前記第１支持部と連続して繋がる前記第１取付部が存在する、請求項１に記載のヒンジ装置。
【請求項３】
前記第１ヒンジ部と前記第２ヒンジ部との少なくともいずれか一方に開口部が設けられ、前記開口部に他方の前記ヒンジ部が挿入されることで交差部が形成されている、請求項１又は２に記載のヒンジ装置。
【請求項４】
前記開口部は、前記第１支持部と前記第１取付部とに跨って、または前記第２支持部と前記第２取付部とに跨って設けられ、
前記開口部の前後方向の幅は、前記第１取付部と前記第２取付部との前後方向の幅の合計よりも大きい、請求項３に記載のヒンジ装置。
【請求項５】
前記第１ヒンジ部は、前記開口部として前記第１取付部に形成される第１開口部を有し、
前記第２ヒンジ部は、前記開口部として前記第２支持部と前記第２取付部とに跨る２つの第２開口部を有し、
前記第１取付部は、前記第１開口部を左右方向に挟む第１部分と第２部分とを有し、
前記２つの第２開口部は、左右方向に間隔をあけて配置され、
前記第１部分が前記２つの第２開口部の一方に挿入され、
前記第２部分が前記２つの第２開口部の他方に挿入される、請求項３に記載のヒンジ装置。
【請求項６】
上下方向からの平面視において、前記第１取付部及び前記第２取付部の少なくとも一方は、他方の前記取付部と重ならないか、又は、他方の前記取付部と重なる部分全体が前記支持部に連続して繋がっている、請求項１から５のいずれか１項に記載のヒンジ装置。
【請求項７】
請求項１から６のいずれか１項に記載のヒンジ装置を備えた収納庫。
【発明の詳細な説明】
【技術分野】
【０００１】
本発明は、ヒンジ装置及びそれを備えた収納庫に関する。
【背景技術】
【０００２】
従来、回動により開閉される扉が上下に並ぶ冷蔵庫が知られる（例えば特許文献１及び２参照）。上下の各扉はヒンジによって開閉する。【０００３】
特許文献１には、上側の回動扉と下側の回動扉とを共通の扉支持装置で支持する構成が開示される。扉支持装置はヒンジを含む。ヒンジは、その支持ピンを上下両側に突出して上下の回動扉の両方を支持することができる。【０００４】
特許文献２には、上下の扉の間に下側ヒンジと上側ヒンジとを有する構成が開示される。下側ヒンジは、前端部近傍にヒンジピンを上方向に突出させて設けた水平面と、その水平面の後端部から上方向に延びる鉛直面とからなるＬ字型形状である。下側ヒンジのヒンジピンは上側の扉の回動軸となる。上側ヒンジは、前端部近傍にヒンジピンを下方向に突出させて設けた水平面と、その水平面の後端部から下方向に延びる鉛直面とからなるＬ字型形状である。上側ヒンジのヒンジピンは下側の扉の回動軸となる。上側ヒンジの全体は、下側ヒンジの下に位置する。
【先行技術文献】
【特許文献】
【０００５】
【特許文献１】特開平４−１３１６８２号公報
【特許文献２】特開２００３−１３０５３８号公報
【発明の概要】
【発明が解決しようとする課題】
【０００６】
特許文献１の構成では、本体部（例えば冷蔵庫のキャビネット）に対する上側扉の位置調整と、本体部に対する下側扉の位置調整とを独立して行うことができない。また、特許文献２の構成では、扉を閉めた状態で扉の位置調整（例えば左右方向の位置調整）を行おうとすると、ヒンジの留め具（例えばボルト等）を取り付ける位置が扉に隠れてしまう。このために、扉を開いた状態で位置調整を行う必要がある。扉を開いた状態で位置調整しても、その後に扉を閉めた状態にしなければ扉位置の確認ができないため、作業効率が悪くなる。【０００７】
以上の点に鑑みて、本発明は、２つの扉の各位置調整を、扉を閉めた状態で行うことができるヒンジ装置を提供することを目的とする。また、本発明は、そのようなヒンジ装置を備えた収納庫を提供することを他の目的とする。
【課題を解決するための手段】
【０００８】
上記目的を達成するために本発明の一態様に係るヒンジ装置は、上下方向に延びる回動軸周りに回動可能に扉を取付対象に連結するヒンジ装置であって、第１扉と前記取付対象の取付面を連結する第１ヒンジ部と、前記第１扉の下側に配置される第２扉と前記取付面を連結する第２ヒンジ部と、を備え、前記第１ヒンジ部は、上下方向に延びる第１回動軸部と、前後左右に広がって前記第１回動軸部の下部側を支持する第１支持部と、前記第１支持部の後端部から下方に延びて前記取付面に固定される第１取付部と、を有し、前記第２ヒンジ部は、上下方向に延びる第２回動軸部と、前後左右に広がって前記第２回動軸部の上部側を支持する第２支持部と、前記第２支持部の後端部から上方に延びて前記取付面に固定される第２取付部と、を有し、前記第１支持部が前記第２支持部の上側に配置されて、前記第１取付部が前記第２支持部より下方に配置され、前記第２取付部が前記第１支持部より上方に配置されていることを特徴とする。【０００９】
上記構成のヒンジ装置において、前方からの平面視において、前記第１回動軸部の下方には、前記第１支持部と連続して繋がる前記第１取付部が存在するのが好ましい。【００１０】
上記構成のヒンジ装置において、前記第１ヒンジ部と前記第２ヒンジ部との少なくともいずれか一方に開口部が設けられ、前記開口部に他方の前記ヒンジ部が挿入される交差部が形成されているのが好ましい。前記開口部には、切り欠き形状及び孔形状が含まれる。【００１１】
上記構成のヒンジ装置において、前記開口部は前記第１支持部と前記第１取付部とに跨って、または前記第２支持部と前記第２取付部とに跨って設けられ、前記開口部の前後方向の幅は、前記第１取付部と前記第２取付部との前後方向の幅の合計よりも大きいのが好ましい。【００１２】
上記構成のヒンジ装置において、前記第１ヒンジ部は、前記開口部として前記第１取付部に形成される第１開口部を有し、前記第２ヒンジ部は、前記開口部として前記第２支持部と前記第２取付部とに跨る２つの第２開口部を有し、前記第１取付部は、前記第１開口部を左右方向に挟む第１部分と第２部分とを有し、前記２つの第２開口部は、左右方向に間隔をあけて配置され、前記第１部分が前記２つの第２開口部の一方に挿入され、前記第２部分が前記２つの第２開口部の他方に挿入される構成であってよい。【００１３】
上記構成のヒンジ装置では、上下方向からの平面視において、前記第１取付部及び前記第２取付部の少なくとも一方は、他方の前記取付部と重ならないか、又は、他方の前記取付部と重なる部分全体が前記支持部に連続して繋がっているのが好ましい。【００１４】
また、上記目的を達成するために本発明の一態様に係る収納庫は、上記構成のヒンジ装置を備えることを特徴とする。
【発明の効果】
【００１５】
本発明によると、上下方向に２つのヒンジ部を並べた場合に、ヒンジ装置に要する上下方向のスペースを小さくすることができる。そして、上側の扉に取り付けられるヒンジ部は下方に延びる取付部を有し、下側の扉に取り付けられるヒンジ部は上方に延びる取付部を有する。このために、各扉の位置調整を、扉を閉めた状態で行うことができる。また、本発明によると、そのようなヒンジ装置を備えた収納庫を提供できる。
【図面の簡単な説明】
【００１６】
【図１】本発明の実施形態に係るヒンジ装置が適用される収納庫の一例である冷蔵庫を示す概略正面図
【図２】図１に示す冷蔵庫の扉が開いた状態を示す概略正面図
【図３】本発明の第１実施形態に係るヒンジ装置を示す概略斜視図
【図４】図３のＡ−Ａ位置における概略断面図
【図５】本発明の第１実施形態に係るヒンジ装置が備える第１ヒンジ部を示す概略上面図
【図６】本発明の第１実施形態に係るヒンジ装置が備える第１ヒンジ部を示す概略正面図
【図７】本発明の第１実施形態に係るヒンジ装置が備える第２ヒンジ部を示す概略上面図
【図８】本発明の第１実施形態に係るヒンジ装置が備える第２ヒンジ部を示す概略正面図
【図９】本発明の第１実施形態に係るヒンジ装置が適用される冷蔵庫のヒンジ装置周りを拡大して示した概略断面図
【図１０】本発明の第２実施形態に係るヒンジ装置を示す概略斜視図
【図１１】図１０のＢ−Ｂ位置における概略断面図
【図１２】本発明の第２実施形態に係るヒンジ装置が備える第１ヒンジ部を示す概略上面図
【図１３】本発明の第２実施形態に係るヒンジ装置が備える第１ヒンジ部を示す概略正面図
【図１４】本発明の第２実施形態に係るヒンジ装置が備える第２ヒンジ部を示す概略上面図
【図１５】本発明の第２実施形態に係るヒンジ装置が備える第２ヒンジ部を示す概略正面図
【図１６】本発明の第２実施形態に係るヒンジ装置が備える第１ヒンジ部の変形例を示す概略正面図
【図１７】本発明の第３実施形態に係るヒンジ装置を示す概略斜視図
【図１８】図１７のＤ−Ｄ位置における概略断面図
【図１９】図１７のＥ−Ｅ位置における概略断面図
【図２０】本発明の第３実施形態に係るヒンジ装置が備える第１ヒンジ部を示す概略上面図
【図２１】本発明の第３実施形態に係るヒンジ装置が備える第１ヒンジ部を示す概略正面図
【図２２】本発明の第３実施形態に係るヒンジ装置が備える第２ヒンジ部を示す概略上面図
【図２３】本発明の第３実施形態に係るヒンジ装置が備える第２ヒンジ部を示す概略正面図
【図２４】本発明の第３実施形態のヒンジ装置の変形例を示す概略正面図
【図２５】本発明のヒンジ装置の更なる他の実施形態を示す概略斜視図
【発明を実施するための形態】
【００１７】
以下、本発明の実施形態に係るヒンジ装置及び収納庫について詳細に説明する。本明細書では、ヒンジ装置が有する回転軸の延びる方向を上下方向とする。また、上下方向と直交する互いに垂直な２つの方向のうち、一方を前後方向、他方を左右方向とする。更に、本明細書では、ヒンジ装置が取り付けられる取付面に直交する方向を前後方向とする。ただし、本明細書における上下、前後、左右は、あくまで説明の便宜のために定義した方向であって、本発明に係るヒンジ装置の使用時の姿勢を限定する意図はない。
＜１．収納庫＞
【００１８】
図１は、本発明の実施形態に係るヒンジ装置が適用される収納庫の一例である冷蔵庫１００を示す概略正面図である。図２は、図１に示す冷蔵庫１００の扉が開いた状態を示す概略正面図である。図１及び図２に示すように、冷蔵庫１００は、断熱箱体を構成するキャビネット１０１を有する。キャビネット１０１は、上側に冷蔵室１０２、下側に冷凍室１０３を有する。
【００１９】
冷蔵室１０２には、観音開き式の冷蔵室用扉１０４、１０５が設けられている。また、冷凍室１０３には、観音開き式の冷凍室用扉１０６、１０７、１０８が設けられている。各扉１０４〜１０８は、上下に配置されるヒンジを利用した回動によって開閉可能になっている。なお、図１及び図２において、各ヒンジの回動軸は上下方向に延びる。
【００２０】
本発明の実施形態に係るヒンジ装置Ｈは、上下方向に延びる回動軸周りに回動可能に、冷蔵室用扉１０４及び冷凍室用扉１０６をキャビネット１０１に連結する。キャビネット１０１は、本発明の取付対象の一例である。なお、本発明のヒンジ装置は、上下に並ぶ冷蔵室用扉１０５及び冷凍室用扉１０７をキャビネット１０１に連結するために適用されるのが好ましい。また、本発明のヒンジ装置は、上下に並ぶ２つの冷凍室用扉１０７、１０８をキャビネット１０１に連結するために適用されてもよい。
＜２．ヒンジ装置の第１実施形態＞
【００２１】
図３は、本発明の第１実施形態に係るヒンジ装置Ｈ１を示す概略斜視図である。図４は、図３のＡ−Ａ位置における概略断面図である。なお、図４には、理解を容易とするために、ヒンジ装置Ｈ１が取り付けられる取付面１０９も示されている。図３及び図４に示すように、ヒンジ装置Ｈ１は、第１ヒンジ部１１と第２ヒンジ部１２とを備える。第１ヒンジ部１１は、冷蔵室用扉１０４とキャビネット１０１の取付面１０９とを連結する。第２ヒンジ部１２は、冷蔵室用扉１０４の下側に配置される冷凍室用扉１０６と取付面１０９とを連結する。なお、取付面１０９は、キャビネット１０１の上下方向の略中央部に位置する（図２参照）。冷蔵室用扉１０４は、本発明の第１扉の一例である。冷凍室用扉１０６は、本発明の第２扉の一例である。
【００２２】
図５は、本発明の第１実施形態に係るヒンジ装置Ｈ１が備える第１ヒンジ部１１を示す概略上面図である。図６は、本発明の第１実施形態に係るヒンジ装置Ｈ１が備える第１ヒンジ部１１を示す概略正面図である。図５及び図６に示すように、第１ヒンジ部１１は、第１回動軸部１１１と、第１支持部１１２と、第１取付部１１３とを有する。
【００２３】
第１回動軸部１１１は上下方向に延びる。第１回動軸部１１１は、外形略円柱状の金属ピンである。第１回動軸部１１１は、冷蔵室用扉１０４の下端部に設けられる穴（不図示）に嵌め込まれる。本実施形態では、第１回動軸部１１１は、下部寄りにフランジ部１１１ａを有する。フランジ部１１１ａは、第１回動軸部１１１の第１支持部１１２からの上方への突出量を所定量とする位置決め機能を有する。
【００２４】
第１支持部１１２は前後左右に広がる。第１支持部１１２は、前後左右に広がる平面部を有する板金部材で構成される。本実施形態では、第１支持部１１２は、前後方向に比べて左右方向が長い略矩形状である。なお、前後方向は、図５における上下方向が該当し、図６における紙面と直交する方向が該当する。左右方向は、図５及び図６における左右方向が該当する。
【００２５】
第１支持部１１２は、第１回動軸部１１１の下部側を支持する。本実施形態では、第１支持部１１２は、左右方向の一端部である左端部に第１貫通孔１１２ａ（図４参照）を有する。第１貫通孔１１２ａは、前後方向において、第１支持部１１２の中央部より前側に設けられる。第１回動軸部１１１は、その下端部が貫通孔１１２ａに入れられて、かしめにより第１支持部１１２に固定される。
【００２６】
第１取付部１１３は、第１支持部１１２の後端部から下方に延びる。第１取付部１１３は、取付面１０９に固定される。取付面１０９は、上下方向と平行な平面である。第１取付部１１３は、取付面１０９に平行な平面を有する。第１取付部１１３は、第１支持部１１２と同一の部材で構成され、第１支持部１１２から突出する部分を折り曲げて得られる。
【００２７】
本実施形態では、第１取付部１１３は、左右方向において、第１支持部１１２の左端から中央部よりもやや左端寄りの位置までの範囲に設けられている。第１取付部１１３は、前方からの平面視において略矩形状となる板状部である。前方からの平面視において、第１回動軸部１１１の下方には、第１支持部１１２と連続して繋がる第１取付部１１３が存在する（例えば図６参照）。
【００２８】
第１取付部１１３には、左右方向に間隔をあけて配置される２つの第１長孔１１３ａが設けられる。第１長孔１１３ａは、左右方向に延びる。第１長孔１１３ａは、第１取付部１１３を前後方向に貫通する。第１長孔１１３ａには、第１ヒンジ部１１を取付面１０９に固定する際に留め具が挿入される。留め具としては、例えばボルト又はネジが挙げられる。第１取付部１１３に長孔が設けられる理由は、冷蔵室用扉１０４の左右方向の位置調整を可能とするためである。
【００２９】
図７は、本発明の第１実施形態に係るヒンジ装置Ｈ１が備える第２ヒンジ部１２を示す概略上面図である。図８は、本発明の第１実施形態に係るヒンジ装置Ｈ１が備える第２ヒンジ部１２を示す概略正面図である。図７及び図８に示すように、第２ヒンジ部１２は、第２回動軸部１２１と、第２支持部１２２と、第２取付部１２３とを有する。
【００３０】
第２回動軸部１２１は上下方向に延びる。第２回動軸部１２１は、外形略円柱状の金属ピンである。第２回動軸部１２１は、冷凍室用扉１０６の上端部に設けられる穴（不図示）に嵌め込まれる。本実施形態では、第２回動軸部１２１は、上部寄りにフランジ部１２１ａを有する。フランジ部１２１ａは、第２回動軸部１２１の第２支持部１２２からの下方への突出量を所定量とする位置決め機能を有する。
【００３１】
第２支持部１２２は前後左右に広がる。第２支持部１２２は、前後左右に広がる平面部を有する板金部材で構成される。本実施形態では、第２支持部１２２は、前後方向に比べて左右方向が長い略矩形状である。第２支持部１２２は、第１支持部１１２と略同一形状及び略同一サイズである。なお、第１支持部１２１と第２支持部１２２とは、形状が異なってもよいし、サイズが異なってもよい。
【００３２】
第２支持部１２２は、第２回動軸部１２１の上部側を支持する。本実施形態では、第２支持部１２２は、左右方向の一端部である左端部に第２貫通孔１２２ａ（図４参照）を有する。第２貫通孔１２２ａは、前後方向において、第２支持部１２２の中央部より前側に設けられる。第２回動軸部１２１は、その上端部が貫通孔１２２ａに入れられて、かしめにより第２支持部１２２に固定される。
【００３３】
第２取付部１２３は、第２支持部１２２の後端部から上方に延びる。第２取付部１２３は、取付面１０９に固定される。第２取付部１２３、取付面１０９に平行な平面を有する。第２取付部１２３は、第２支持部１２２と同一の部材で構成され、第２支持部１２２から突出する部分を折り曲げて得られている。
【００３４】
本実施形態では、第２取付部１２３は、左右方向において、第２支持部１２２の右端から中央部よりもやや右端寄りの位置までの範囲に設けられている。第２取付部１２３は、前後方向からの平面視において略矩形状となる板状部である。第２取付部１２３の前後方向の長さ（厚み）は、第１取付部１１３の前後方向の長さと略同一である。
【００３５】
第２取付部１２３には、左右方向に間隔をあけて配置される２つの第２長孔１２３ａが設けられる。第２長孔１２３ａは、左右方向に延びる。第２長孔１２３ａは、第１取付部１２３を前後方向に貫通する。第２長孔１２３ａには、第２ヒンジ部１２を取付面１０９に固定する際に留め具（例えばボルト等）が挿入される。第２取付部１２３に長孔が設けられる理由は、冷凍室用扉１０６の左右方向の位置調整を可能とするためである。
【００３６】
第１ヒンジ部１１においては、前後方向に関して、第１取付部１１３が設けられる部分の幅が、第１取付部１１３が設けられない部分の幅に比べて広い。第１ヒンジ部１１は、後面側に第１段差部１１４を有する（図５参照）。また、第２ヒンジ部１２においては、前後方向に関して、第２取付部１２３が設けられる部分の幅が、第２取付部１２３が設けられない部分に比べて広い。第２ヒンジ部１２は、後面側に第２段差部１２４を有する（図７参照）。図３に示すように、これら２つの段差部１１４、１２４を利用して、第１ヒンジ部１１と第２ヒンジ部１２とは交差部Ｃ１を有する。
【００３７】
図３及び図４に示すように、ヒンジ装置Ｈ１においては、第１支持部１１２が第２支持部１２２の上側に配置される。本実施形態では、第１支持部１１２と第２支持部１２２とは、上下方向からの平面視において四隅の位置が略一致する。また、上下方向からの平面視において、第１回動軸部１１１と第２回動軸部１２１とは重なる位置に設けられる。なお、第１回動軸部１１１と第２回動軸部１２１とは回動中心の位置が一致してもよいし、ずれてもよい。場合によっては、第１回動軸部１１１と第２回動軸部１２１とは、上下方向からの平面視において、全く重らなくてもよい。
【００３８】
また、本実施形態では、上下方向において、第１支持部１１２と第２支持部１２２との間に隙間が形成される構成になっている。このために、第１ヒンジ部１１または第２ヒンジ部１２を位置調整する際に、他方のヒンジ部に干渉することなくスムーズに位置調整を行える。また、上下方向にも若干量位置調整することができる。なお、第１ヒンジ部１１および第２ヒンジ部１２が上下方向の位置調整を不要とする場合は、第１支持部１１２と第２支持部１２２とは接触してもよい。このようにすれば、冷蔵室用扉１０４の荷重がかかる第１ヒンジ部１１を、第２ヒンジ部１２によっても支えることができる。
【００３９】
第１支持部１１２が第２支持部１２２の上側に配置された状態で、第１取付部１１３と第２取付部１２３とは左右方向の反対位置に設けられており、互いに当接しない。第１取付部１１３は、第２ヒンジ部１２の前後方向の幅が狭い部分の後側を通過して下方に突出する。一方、第２取付部１２３は、第１ヒンジ部１１の前後方向の幅が狭い部分の後側を通過して上方に突出する。すなわち、第１取付部１１３は、第２支持部１２２より下方に配置され、第２取付部１２３は、第１支持部１１２より上方に配置される。なお、第１取付部１１３及び第２取付部１２３は、図４に示すようにその後面が略面一となって、取付面１０９に取り付けられる。
【００４０】
図９は本発明の第１実施形態に係るヒンジ装置Ｈ１が適用される冷蔵庫１００のヒンジ装置Ｈ１周りを拡大して示した概略断面図である。図９は、冷蔵庫１００の扉１０４、１０６が閉じられた状態を示す。第１ヒンジ部１１及び第２ヒンジ部１２は、第１支持部１１２が第２支持部１２２の上に配置された状態で取付面１０９に取り付けられている。第１ヒンジ部１１及び第２ヒンジ部１２は留め具Ｆ（例えばボルト）によって取付面１０９に固定されている。
【００４１】
冷蔵室用扉１０４の下面１０４ａには、挿入穴１０４１が設けられる。挿入穴１０４１は上下方向に延び、第１回転軸部１１１が挿入される。冷凍室用扉１０６の上面１０６ａには、挿入穴１０６１が設けられる。挿入穴１０６１は上下方向に延び、第２回転軸部１２１が挿入される。前方から見て（図９の矢印Ｖ方向から見て）、第１取付部１１３の留め具Ｆが取り付ける箇所は、閉じられた冷凍室用扉１０６に隠されるが、閉じられた冷蔵室用扉１０４には隠されない。また、前方から見て、第２取付部１２３の留め具Ｆが取り付ける箇所は、閉じられた冷蔵室用扉１０４に隠されるが、閉じられた冷凍室用扉１０６には隠されない。
【００４２】
このような冷蔵庫１００の組み立てにおいては、例えば、冷凍室用扉１０６をキャビネット１０１に取り付けた後に、冷蔵室用扉１０４がキャビネット１０１に取り付けられる。第２ヒンジ部１２は、まず、第２回転軸部１２１が挿入穴１０６１に挿入され、冷凍室用扉１０６を保持する。この状態で第２ヒンジ部１２が取付面１０９に固定されることによって、冷凍室用扉１０６はキャビネット１０１に回動可能に取り付けられる。冷凍室用扉１０６を閉めた姿勢としても、第２取付部１２３が冷蔵庫１００前方から見える状態で、扉１０６の左右調整を行える。この結果、冷凍室用扉１０６の位置調整を経験や勘に頼ることなく、効率良く行うことができる。
【００４３】
第１ヒンジ部１１は、第２ヒンジ部１２が取付面１０９に留め具Ｆで固定された状態において、段差部１１４、１２４を利用して、第２ヒンジ部１２に組み合わせることができる。第２ヒンジ部１２に組み合わされた第１ヒンジ部１１は、第１回転軸部１１１が挿入穴１０４１に挿入され、冷蔵室用扉１０４を保持する。この状態で第１ヒンジ部１１が取付面１０９に固定されることによって、冷蔵室用扉１０４はキャビネット１０１に回動可能に取り付けられる冷蔵室用扉１０４の取付の際に、冷凍室用扉１０６を開けておけば、冷蔵室用扉１０４を閉めた姿勢としても、第１取付部１１３が見える状態で、扉１０４の左右調整を行える。この結果、冷蔵室用扉１０４の位置調整を経験や勘に頼ることなく、効率良く行うことができる。
【００４４】
本実施形態のヒンジ装置Ｈ１では、２つのヒンジ部１１、１２は交差部Ｃ１を有する。このために、上下方向に２つのヒンジ部１１、１２を並べているにもかかわらず、ヒンジ装置Ｈ１に要する上下方向のスペースを小さくすることができる。したがって、本実施形態のヒンジ装置Ｈ１を利用すれば、冷蔵庫１００の上下方向の小型化を図ることができる。また、２つの回動軸部１１１、１２１が上下方向に重なる位置に設けられているために、冷蔵室１０２及び冷凍室１０３のいずれか一方の左右方向の幅が小さくなることを避けることができる。
【００４５】
第１ヒンジ部１１は、扉１０４を下側から支える。このために、第１ヒンジ部１１には、大きな荷重がかかりやすい。この点、本実施形態では、前方からの平面視において、第１回動軸部１１１の下方には、第１支持部１１２と連続して繋がる第１取付部１１３が存在し、第１回動軸１１１近傍の強度が強くされている。このために、扉１０４をしっかりと支えることができる。
【００４６】
本実施形態では、上下方向からの平面視において、第１取付部１１３と第２取付部１２３とは重ならない。このために、第１ヒンジ部１１は、第２ヒンジ部１２が取付面１０９に固定された状態のままでも、上側に引き抜くことができる。また、第２ヒンジ部１２は、第１ヒンジ部１１が取付面１０９に固定された状態のままでも、下側に引き抜くことができる。例えば、２つのヒンジ部１１、１２が留め具Ｆによって取付面１０９に固定された後に、いずれか一方のみを調整し直したいことがある。このような場合に、調整したい方のヒンジ部の留め具だけを外せばよいので便利である。
＜３．ヒンジ装置の第２実施形態＞
【００４７】
次に、第２実施形態のヒンジ装置について説明する。なお、第２実施形態のヒンジ装置の説明にあたっては、第１実施形態と重複する内容の説明は適宜省略する。図１０は、本発明の第２実施形態に係るヒンジ装置Ｈ２を示す概略斜視図である。図１１は、図１０のＢ−Ｂ位置における概略断面図である。なお、図１１には、理解を容易とするために、ヒンジ装置Ｈ２が取り付けられる取付面１０９も示されている。図１０及び図１１に示すように、ヒンジ装置Ｈ２は、第１ヒンジ部２１と第２ヒンジ部２２とを備える。第１ヒンジ部２１は、冷蔵室用扉１０４とキャビネット１０１の取付面１０９とを連結する。第２ヒンジ部２２は、冷凍室用扉１０６と取付面１０９とを連結する。
【００４８】
図１２は、本発明の第２実施形態に係るヒンジ装置Ｈ２が備える第１ヒンジ部２１を示す概略上面図である。図１３は、本発明の第２実施形態に係るヒンジ装置Ｈ２が備える第１ヒンジ部２１を示す概略正面図である。図１２及び図１３に示すように、第１ヒンジ部２１は、第１回動軸部２１１と、第１支持部２１２と、第１取付部２１３とを有する。
【００４９】
上下方向に延びる第１回動軸部２１１は、第１実施形態の第１回動軸部１１１と同様の構成であるので、その詳細な説明は省略する。また、前後左右に広がる第１支持部２１２も、第１実施形態の第１支持部１１２と概ね同様の構成であるので、重複する部分については、その説明を省略する。
【００５０】
第１取付部２１３は、第１支持部２１２の後端部から下方に延びる。第１取付部２１３は、取付面１０９に平行な平面を有し、取付面１０９に固定される。第１取付部２１３は、第１支持部２１２と同一の部材で構成され、第１支持部２１２から突出する部分を折り曲げて得られる。第１取付部２１３には、第１実施形態の場合と同様に、左右方向に間隔をあけて配置される２つの第１長孔２１３ａが設けられる。
【００５１】
本実施形態では、第１取付部２１３の左右方向の長さは、第１支持部２１２の左右方向の長さと同じである。第１取付部２１３は、前方からの平面視において略矩形状となる板状部である。前方からの平面視において、第１回動軸部２１１の下方には、第１支持部２１２と連続して繋がる第１取付部２１３が存在する。このために、大きな荷重が加わる第１回動軸部２１１近傍の強度が強く、扉１０４をしっかりと支えることができる。
【００５２】
第１ヒンジ部２１は開口部２１４を有する。開口部２１４は、本発明の開口部の一例である。開口部２１４は、第１支持部２１２と第１取付部２１３とに跨って設けられる。開口部２１４は、左右方向の略中央部に設けられる。開口部２１４は貫通孔である。開口部２１４は、例えば、第１取付部２１３が折り曲げ形成される前に板金部材をプレス成形して得られる。本実施形態では、板金部材に略矩形状の孔を形成することによって、開口部２１４は得られる。
【００５３】
図１４は、本発明の第２実施形態に係るヒンジ装置Ｈ２が備える第２ヒンジ部２２を示す概略上面図である。図１５は、本発明の第２実施形態に係るヒンジ装置Ｈ２が備える第２ヒンジ部２２を示す概略正面図である。図１４及び図１５に示すように、第２ヒンジ部２２は、第２回動軸部２２１と、第２支持部２２２と、第２取付部２２３とを有する。
【００５４】
第２実施形態の第２ヒンジ部２２は、第１実施形態の第２ヒンジ部１２と概ね同様の構成であるので、重複する部分については、その説明を省略する。第２ヒンジ部２２は、第１実施形態の第２ヒンジ部１２と同様に、２つの長孔２２３ａを有する第２取付部２２３を有する。ただし、第２取付部２２３は、第１実施形態の場合と異なり、左右方向の略中央部に設けられている。
【００５５】
第２ヒンジ部２２においては、前後方向に関して、第２取付部２２３が設けられる部分の幅が、第２取付部２２３が設けられない部分の幅に比べて広い。第２ヒンジ部２２は、後面側に２つの段差部２２４を有する（図１４参照）。第１ヒンジ部２１に設けられる開口部２１４と、第２ヒンジ部２２に設けられる２つの段差部２２４を利用して、図１０に示すように、第１ヒンジ部２１と第２ヒンジ部２２とは交差部Ｃ２を有する。
【００５６】
図１０及び図１１に示すように、ヒンジ装置Ｈ２においては、第１実施形態のヒンジ装置Ｈ１と同様に、第１支持部２１２が第２支持部２２２の上側に配置される。第１支持部２１２が第２支持部２２２の上側に配置された状態で、第２取付部２２３が開口部２１４に挿入される。このために、第２取付部２２３は、第１ヒンジ部２１に当接することなく上方に突出する。開口部２１４の左右方向の幅は、第２取付部２２３の左右方向の幅より大きい。また、第１取付部２１３は、段差部２２４を利用して第２ヒンジ部２２に当接することなく下方に突出する。すなわち、第１取付部２１３は、第２支持部２２２より下方に配置され、第２取付部２２３は、第１支持部２１２より上方に配置される。なお、第１取付部２１３及び第２取付部２２３は、図１１に示すように、それらの後面が略面一となって、取付面１０９に取り付けられる。
【００５７】
冷蔵庫１００の組み立てにおいては、例えば、冷蔵室用扉１０４をキャビネット１０１に取り付けた後に、冷凍室用扉１０６がキャビネット１０１に取り付けられる。なお、この手順は、第１実施形態の場合と逆である。第１ヒンジ部２１は、下方に延びる第１取付部２１３を有する。このため、冷蔵室用扉１０４の取付の際に、冷蔵室用扉１０４を閉めた姿勢としても、第１取付部２１３が見える状態で、扉１０４の左右調整を行える。この結果、冷蔵室用扉１０４の位置調整を経験や勘に頼ることなく、効率良く行うことができる。
【００５８】
第２ヒンジ部２２は、第１ヒンジ部２１が取付面１０９に留め具（例えばボルト等）で固定された状態において、開口部２１４及び段差部２２４を利用して、第１ヒンジ部２１に組み合わせることができる。第１ヒンジ部２１に組み合わされた第２ヒンジ部２２は、上方に延びる第２取付部２２３を有する。このため、冷凍室用扉１０６の取付の際に、冷蔵室用扉１０４を開けておけば、冷凍室用扉１０６を閉めた姿勢としても、第２取付部２２３が見える状態で、扉１０６の左右調整を行える。この結果、冷凍室用扉１０６の位置調整を経験や勘に頼ることなく、効率良く行うことができる。
【００５９】
この他、第２実施形態のヒンジ装置Ｈ２は、第１実施形態のヒンジ装置Ｈ１と同様の効果を得られる。また、第２実施形態のヒンジ装置Ｈ２では、第１実施形態のヒンジ装置Ｈ１に比べて、第１取付部２１３に設けられる２つの長孔２１３ａの左右方向の間隔を広くできる。
【００６０】
なお、第２実施形態のヒンジ装置Ｈ２では、上下方向からの平面視において、第１取付部２１３は、一部（図１２において破線で囲まれる部分）が第２取付部２２３と重なる。当該重なった部分は、開口部２１４の存在によって第１支持部２１２と分断されており、第１支持部２１２に連続して繋がっていない。第２ヒンジ部２２が取付面１０９に固定された状態で第１ヒンジ部２１を上側に引き抜こうとしても、第２ヒンジ部２２が邪魔して第１ヒンジ部２１は上側に引き抜けない。
【００６１】
図１６は、本発明の第２実施形態に係るヒンジ装置Ｈ２が備える第１ヒンジ部２１の変形例を示す概略正面図である。変形例の第１ヒンジ部２１は、第１取付部２１３が左右方向に分断されており、上下方向からの平面視において、第１取付部２１３は第２取付部２２３と重ならない。このために、第１ヒンジ部２１は、第２ヒンジ部２２が取付面１０９に固定された状態で上側に引き抜くことができる。
【００６２】
第２実施形態のヒンジ装置Ｈ２では、上下方向からの平面視において、第２取付部２２３は、第１取付部２１３の一部と重なる。ただし、第２取付部２２３は、その全体が第２支持部２２２に連続して繋がっている。第２ヒンジ部２２は、第１ヒンジ部２１が取付面１０９に固定されていても、第２取付部２２３が開口部２１４を通過できるために下側から引き抜くことができる。
【００６３】
なお、開口部２１４の前後方向の幅Ｗ１は、第１取付部２１３の前後方向の幅（厚み）Ｗ２と第２取付部２２３の前後方向の幅Ｗ３との合計より大きいのが好ましい（図１１参照）。これにより、第１ヒンジ部２１又は第１ヒンジ部２１を固定する留め具との接触を回避して、第２ヒンジ部２２の引き抜きを行い易くできる。本実施形態では、第１取付部２１３の前後方向の幅Ｗ２と、第２取付部２２３の前後方向の幅Ｗ３とは同じである。
＜４．ヒンジ装置の第３実施形態＞
【００６４】
次に、第３実施形態のヒンジ装置について説明する。なお、第３実施形態のヒンジ装置の説明にあたっては、第１実施形態と重複する内容の説明は適宜省略する。図１７は、本発明の第３実施形態に係るヒンジ装置Ｈ３を示す概略斜視図である。図１８は、図１７のＤ−Ｄ位置における概略断面図である。図１９は、図１７のＥ−Ｅ位置における概略断面図である。なお、図１８及び図１９には、理解を容易とするために、ヒンジ装置Ｈ３が取り付けられる取付面１０９も示されている。
【００６５】
図１７から図１９に示すように、ヒンジ装置Ｈ３は、第１ヒンジ部３１と第２ヒンジ部３２とを備える。第１ヒンジ部３１は、冷蔵室用扉１０４とキャビネット１０１の取付面１０９とを連結する。第２ヒンジ部３２は、冷蔵室用扉１０４の下側に配置される冷凍室用扉１０６と取付面１０９とを連結する。
【００６６】
図２０は、本発明の第３実施形態に係るヒンジ装置Ｈ３が備える第１ヒンジ部３１を示す概略上面図である。図２１は、本発明の第３実施形態に係るヒンジ装置Ｈ３が備える第１ヒンジ部３１を示す概略正面図である。図２０及び図２１に示すように、第１ヒンジ部３１は、第１回動軸部３１１と、第１支持部３１２と、第１取付部３１３とを有する。
【００６７】
上下方向に延びる第１回動軸部３１１は、第１実施形態の第１回動軸部１１１と同様の構成であるので、その詳細な説明は省略する。前後左右に広がる第１支持部３１２は、第１実施形態の第１支持部１１２とは形状が異なる。ただし、第１支持部３１２の形状は適宜変更可能であり、第１実施形態と同様にしてもよい。第１支持部３１２が第１回動軸部３１１を支持する構造は、第１実施形態の第１支持部１１２が第１回動軸部１１１を支持する構造と同様であるので、その説明を省略する。
【００６８】
第１取付部３１３は、第１支持部３１２の後端部から下方に延びる。第１取付部３１３は、取付面１０９に平行な平面を有し、取付面１０９に固定される。第１取付部３１３は、第１支持部３１２と同一の部材で構成され、第１支持部３１２から突出する部分を折り曲げて得られる。
【００６９】
本実施形態では、第１取付部３１３は、第１開口部３１４を左右方向に挟む板状の第１部分３１３１と第２部分３１３２とを有する。第１部分３１３１、第２部分３１３２、及び、第１開口部３１４は、ぞれぞれ、前方からの平面視において略矩形状である。第１部分３１３１は、左右方向において、第１支持部３１２の左端から中央部よりもやや左端寄りの位置までの範囲に設けられている。第２部分３１３２は、第１支持部３１２の右端よりやや中央部寄りの位置から中央部よりも右端寄りの位置までの範囲に設けられている。第１部分３１３１の左右方向の幅は、第２部分３１３２の左右方向の幅より大きい。前方からの平面視において、第１回動軸部３１１の下方には、第１支持部３１２と連続して繋がる第１取付部３１３が存在する。このために、大きな荷重が加わる第１回動軸部３１１近傍の強度が強く、扉１０４をしっかりと支えることができる。
【００７０】
第１取付部３１３は、第１部分３１３１と第２部分３１３２とにそれぞれ１つずつ配置される第１長孔３１３ａを有する。第１長孔３１３ａの形状、及び、第１長孔３１３ａが設けられる目的は第１実施形態と同様である。
【００７１】
図２２は、本発明の第３実施形態に係るヒンジ装置Ｈ３が備える第２ヒンジ部３２を示す概略上面図である。図２３は、本発明の第３実施形態に係るヒンジ装置Ｈ３が備える第２ヒンジ部３２を示す概略正面図である。図２２及び図２３に示すように、第２ヒンジ部３２は、第２回動軸部３２１と、第２支持部３２２と、第２取付部３２３とを有する。
【００７２】
上下方向に延びる第２回動軸部３２１は、第１実施形態の第２回動軸部１２１と同様の構成であるので、その詳細な説明は省略する。前後左右に広がる第２支持部３２２は、第１実施形態の第２支持部１２２とは形状が異なる。ただし、第２支持部３２２の形状は適宜変更可能であり、第１実施形態と同様にしてもよい。第２支持部３２２が第２回動軸部３２１を支持する構造は、第１実施形態の第２支持部１２２が第２回動軸部１２１を支持する構造と同様であるので、その説明を省略する。
【００７３】
第２取付部３２３は、第２支持部３２２の後端部から上方に延びる。第２取付部３２３は、取付面１０９に平行な平面を有して取付面１０９に固定される。第２取付部３２３は、第２支持部３２２と同一の部材で構成され、第２支持部３２２から突出する部分を折り曲げて得られる。
【００７４】
本実施形態では、第２取付部３２３は、左右方向において、第２支持部３２２の右端から左端手前の位置までの範囲に設けられる。第２取付部３２３は、前方からの平面視において略矩形状となる板状部である。第２取付部３２３には、左右方向に間隔をあけて配置される２つの第２長孔３２３ａが設けられる。第２長孔３２３ａの形状、及び、第２長孔３２３ａが設けられる目的は第１実施形態と同様である。
【００７５】
第２ヒンジ部３２は、第２支持部３２２と第２取付部３２３とに跨って設けられる２つの第２開口部３２４を有する。詳細には、２つの第２開口部３２４は、左右方向に間隔をあけて設けられ、形状が異なる。右側に設けられる第２開口部３２４は孔形状であり、左側に設けられる第２開口部３２４は左端が開放された切り欠き形状である。第２開口部３２４は、例えば、第２取付部３２３が折り曲げ形成される前に板金部材をプレス成形して得られる。本実施形態では、板金部材に略矩形状の貫通孔或いは切り欠きを形成することによって、第２開口部３２４は得られる。
【００７６】
図１７から図１９に示すように、ヒンジ装置Ｈ３においては、第１実施形態のヒンジ装置Ｈ１と同様に、第１支持部３１２が第２支持部３２２の上側に配置される。第１開口部３１４及び第２開口部３２４の存在により、第１ヒンジ部３１と第２ヒンジ部３２とは交差部Ｃ３を有する。
【００７７】
第１支持部３１２が第２支持部３２２の上側に配置された状態で、第１部分３１３１が左側の第２開口部３２４に挿入され、第２部分３１３２が右側の第２開口部３２４に挿入される。これにより、第１取付部３１３は、第２支持部３２２より下方に配置される。また、第２取付部３２３は、第１支持部３１２より上方に配置される。
【００７８】
なお、本実施形態では、第１部分３１３１の左右方向の幅の方が左側の第２開口部３２４の左右方向の幅より大きい。ただし、左側の第２開口部３２４の左端部が開放されているために、第１部分３１３１は左側の第２開口部３２４に挿入することができる。また、第２部分３１３２の左右方向の幅は、右側の第２開口部３２４の左右方向の幅より小さい。第１取付部３１３及び第２取付部３２３は、図１８及び図１９に示すように、それらの後面が略面一となって、取付面１０９に取り付けられる。
【００７９】
冷蔵庫１００の組み立てにおいては、例えば、冷凍室用扉１０６をキャビネット１０１に取り付けた後に、冷蔵室用扉１０４がキャビネット１０１に取り付けられる。第２ヒンジ部３２は、上方に延びる第２取付部３２３を有する。このため、冷凍室用扉１０６の取付の際に、冷凍室用扉１０６を閉めた姿勢としても、第２取付部３２３が見える状態で、扉１０６の左右調整を行える。この結果、冷凍室用扉１０６の位置調整を経験や勘に頼ることなく、効率良く行うことができる。
【００８０】
第１ヒンジ部３１は、第２ヒンジ部３２が取付面１０９に留め具（例えばボルト等）で固定された状態において、第１開口部３１４及び第２開口部３２４を利用して、第２ヒンジ部３２に組み合わせることができる。第２ヒンジ部３２に組み合わされた第１ヒンジ部３１は、下方に延びる第１取付部３１３を有する。このため、冷蔵室用扉１０４の取付の際に、冷凍室用扉１０６を開けておけば、冷蔵室用扉１０４を閉めた姿勢としても、第１取付部３１３が見える状態で、扉１０４の左右調整を行える。この結果、冷蔵室用扉１０４の位置調整を経験や勘に頼ることなく、効率良く行うことができる。
【００８１】
この他、第３実施形態のヒンジ装置Ｈ３は、第１実施形態のヒンジ装置Ｈ１と同様の効果を得られる。また、第３実施形態のヒンジ装置Ｈ２では、第１実施形態のヒンジ装置Ｈ１に比べて、第１取付部３１３及び第２取付部３２３に設けられる２つの長孔３１３ａの左右方向の間隔を広くできる。
【００８２】
なお、第３実施形態のヒンジ装置Ｈ３では、上下方向からの平面視において、第１取付部３１３は、第２取付部３２３と重なる部分を有する。当該重なった部分の全体は、第１支持部３１２に連続して繋がっている。第１ヒンジ部３１は、第２ヒンジ部３２が取付面１０９に固定された状態であっても、第１取付部３１３が第２開口部３２４を通過できるために上側から引き抜くことができる。
【００８３】
第２開口部３２４の前後方向の幅Ｗ４は、第１取付部３１３の前後方向の幅Ｗ５と第２取付部３２３の前後方向の幅Ｗ６との合計より大きいのが好ましい（図１９参照）。更には、第２開口部３２４の前後方向の幅Ｗ４は、第１取付部３１３の前後方向の幅Ｗ５と、第２取付部３２３の前後方向の幅Ｗ６と、図１９に破線で示す留め具Ｆ（例えばボルト等）が第２取付部３２３から前方に突出する長さＷ７との合計より大きいのが好ましい。これにより、第２ヒンジ部３２又は第２ヒンジ部３２を固定する留め具Ｆとの接触を回避して、第１ヒンジ部３１の引き抜きを行い易くできる。本実施形態では、第１取付部３１３の前後方向の幅Ｗ５と、第２取付部３２３の前後方向の幅Ｗ６とは同じである。
【００８４】
第３実施形態のヒンジ装置Ｈ３では、上下方向からの平面視において、第２取付部３２３は、第１取付部３１３と重なる部分を有する。当該重なる部分の一部は、第２開口部３２４の存在によって第２支持部３２２と分断されており、第２支持部３２２に連続して繋がっていない。第１ヒンジ部３１が取付面１０９に固定された状態で第２ヒンジ部３２を下側に引き抜こうとしても、第１ヒンジ部３１が邪魔して第２ヒンジ部３２は下側に引き抜けない。下側への引き抜きを可能とするために、上下方向からの平面視において、第２取付部３２３は、第１取付部３１３と重ならないか、又は、第１取付部３１３と重なる部分全体が第２支持部３２２に連続して繋がっている構成に変更してもよい。
【００８５】
また、第３実施形態では、好ましい構成として、第１開口部３１４の左右方向の幅Ｗ８が、２つの第２開口部３２４の左右方向の幅の合計（Ｗ９＋Ｗ１０）より小さくなっている。このように構成すると、第２ヒンジ部３２に比べて大きな荷重がかかる第１ヒンジ部３１について、第１取付部３１３の左右方向の幅を大きくできるので好ましい。
【００８６】
図２４は、本発明の第３実施形態のヒンジ装置Ｈ３の変形例を示す概略正面図である。変形例の構成では、第２ヒンジ部３２の第２支持部３２２が段差構造を有する。詳細には、第２回動軸部３２１が設けられる位置近傍が下に下がる段差構造になっている。第２回動軸部３２１は中空軸である。取付面１０９に設けられる開口１０９ａは、第１開口部３１４と重なっている。開口１０９ａから引き出された配線４０は、第１開口部３１４と、段差を構成する上下方向に延びる壁部３２２１に設けられる貫通孔（不図示）を介して第２回動軸部３２１に至る。配線４０は、第２回動軸部３２１の内部を通って所定の箇所に導かれる。本変形例の構成では、第１開口部３１４を利用してハーネス処理を行っている。この構成では、ヒンジ装置Ｈ３は、配線４０を覆うカバーを有するのが好ましい。
【００８７】
以上に示した実施形態や変形例の構成は、本発明の例示にすぎない。実施形態や変形例の構成は、本発明の技術的思想を超えない範囲で適宜変更されてもよい。また、複数の実施形態及び変形例は、可能な範囲で組み合わせて実施されてよい。
【００８８】
例えば、以上においては、ヒンジ装置Ｈ１〜Ｈ３を構成する第１ヒンジ部と第２ヒンジ部とは、上下方向から組み合わされる構成とした。しかし、これらの構成は例示にすぎない。図２５は、本発明のヒンジ装置の更なる他の実施形態を示す概略斜視図である。図２５に示すように、ヒンジ装置は、第１ヒンジ部５１と第２ヒンジ部５２とを有する。
【００８９】
第１回動軸部５１１を有する第１ヒンジ部５１は、第１支持部５１２と第１取付部５１３とに跨って第１開口部５１４を有する。第１開口部５１４は、左右方向において、右端から中央部を超える位置まで延びる。第２回動軸部５２１を有する第２ヒンジ部５２は、第２支持部５２２と第２取付部５２３とに跨って第２開口部５２４を有する。第２開口部５２４は、左右方向において、左端から中央部を超える位置まで延びる。第１ヒンジ部５１と第２ヒンジ部５２とは、２つの開口部５１４、５２４を利用して左右方向から組み合わせて交差部を有する構成にできる。２つのヒンジ部５１、５２の組み合わせによって、ヒンジ装置は、第１支持部５１２が第２支持部５２２の上側に配置された状態で、第１取付部５１３が第２支持部５２１より下方に配置され、第２取付部５２３が第１支持部５１２より上方に配置される。
【００９０】
本発明のヒンジ装置は、観音開き式の扉に限らず、片開き式の扉にも適用可能である。また、本発明のヒンジ装置は、冷蔵庫に限らず、２つの扉が回動軸の延びる方向に並ぶ収納庫に適用することができる。収納庫は、例えば、電気機器を構成する要素であってもよいし、家具を構成する要素であってもよい。
【符号の説明】
【００９１】
Ｈ１、Ｈ２、Ｈ３  ヒンジ装置
１１、２１、３１、５１  第１ヒンジ部
１２、２２、３２、５２  第２ヒンジ部
１００  冷蔵庫
１０１  キャビネット（取付対象）
１０４  冷蔵室用扉（第１扉）
１０６  冷凍室用扉（第２扉）
１０９  取付面
１１１、２１１、３１１、５１１  第１回動軸部
１１２、２１２、３１２、５１２  第１支持部
１１３、２１３、３１３、５１３  第１取付部
１２１、２１２、３１２、５１２  第２回動軸部
１２２、２２２、３２２、５２２  第２支持部
１２３、２２３、３２３、５２３  第２取付部
２１４  開口部
３１４、５１４  第１開口部
３２４、５２４  第２開口部
３１３１  第１部分
３１３２  第２部分      
Ｃ１、Ｃ２、Ｃ３  交差部
【図１】
0006797908.tif 000002
【図２】
0006797908.tif 000003
【図３】
0006797908.tif 000004
【図４】
0006797908.tif 000005
【図５】
0006797908.tif 000006
【図６】
0006797908.tif 000007
【図７】
0006797908.tif 000008
【図８】
0006797908.tif 000009
【図９】
0006797908.tif 000010
【図１０】
0006797908.tif 000011
【図１１】
0006797908.tif 000012
【図１２】
0006797908.tif 000013
【図１３】
0006797908.tif 000014
【図１４】
0006797908.tif 000015
【図１５】
0006797908.tif 000016
【図１６】
0006797908.tif 000017
【図１７】
0006797908.tif 000018
【図１８】
0006797908.tif 000019
【図１９】
0006797908.tif 000020
【図２０】
0006797908.tif 000021
【図２１】
0006797908.tif 000022
【図２２】
0006797908.tif 000023
【図２３】
0006797908.tif 000024
【図２４】
0006797908.tif 000025
【図２５】
0006797908.tif 000026